(57)【要約】エレベーターの監視用端末は、記憶部および処理部を備える。記憶部には、エレベーターの監視に関連する複数の監視関連画面を含む画面表示データが格納されている。そして、処理部は、記憶部から読み出した画面表示データに含まれる複数の監視関連画面を表示部に表示する。【特許請求の範囲】
【請求項１】
エレベーターの監視に関連する複数の監視関連画面を含む画面表示データを格納する記憶部と、
上記記憶部から読み出した画面表示データに含まれる複数の監視関連画面を表示部に表示する処理部と
を備えたエレベーターの監視用端末。
【請求項２】
上記複数の監視関連画面は、エレベーターの運行状態に関する監視情報の表示画面、かご内の状況を表す画像データの表示画面、及び、かご内通話装置と監視室用通話装置との通話回線の接続要求画面のうちの少なくとも二つの画面である請求項１記載のエレベーターの監視用端末。
【請求項３】
上記処理部は、上記かご内に設けられている呼出ボタンが操作されると、上記画像データの表示画面および上記接続要求画面を含む画面表示データを上記表示部に表示する請求項２記載のエレベーターの監視用端末。
【請求項４】
上記処理部が、上記接続要求画面の操作に基づいて上記通話回線の接続要求をエレベーターの監視装置に対して通信ネットワークを介して行った場合、
上記かご内通話装置と上記監視室用通話装置との間では、通話用の音声がデジタル信号に変換されることにより、上記通信ネットワークを介した通話が可能になっている請求項３記載のエレベーターの監視用端末。
【請求項５】
エレベーターの監視に関連する複数の監視関連画面を含む画面表示データを格納する記憶部と、
外部装置からの指示に応じ、上記複数の監視関連画面のうちの任意の監視関連画面を選択的に上記画面表示データに含めて、当該画面表示データを監視用端末に通信ネットワークを介して送信する処理部と
を備えたエレベーターの監視装置。
【発明の詳細な説明】
【技術分野】  本発明は、エレベーターの監視に関連する処理を行うエレベーターの監視用端末及びエレベーターの監視装置に関する。
【背景技術】  従来のエレベーターの遠隔監視システムは、例えば特開２００３−２１２４４７号公報に記載されているように、メンテナンスサーバおよび複数の各種端末（例えば監視端末等）により、エレベーターの監視に関連する各種処理を行うように構成されている。
しかしながら、エレベーターの監視に関連する各種処理に用いられる表示画面が端末上に同時に表示されないため、エレベーター監視の効率的な業務を行うことができないという問題があった。
そこで、本発明は、上述のような不都合を解決するためになされたもので、その目的は、エレベーター監視の効率的な業務を行うことができるエレベーターの監視用端末およびエレベーターの監視装置を得るものである。
【発明の開示】
本発明に係るエレベーターの監視用端末は、記憶部および処理部を有し、記憶部が、エレベーターの監視に関連する複数の監視関連画面を含む画面表示データを格納する。そして、処理部は、記憶部から読み出した画面表示データに含まれる複数の監視関連画面を表示部に表示する。
また、本発明に係るエレベーターの監視装置は、記憶部および処理部を有し、記憶部が、エレベーターの監視に関連する複数の監視関連画面を含む画面表示データを格納する。そして、処理部は、外部装置からの指示に応じ、複数の監視関連画面のうちの任意の監視関連画面を選択的に上記画面表示データに含めて、当該画面表示データを監視用端末に通信ネットワークを介して送信する。
【図面の簡単な説明】  図１は、本発明の実施の形態１に係るエレベーター監視システムを示す構成図、
図２は、図１の監視サーバの構成を示すブロック図、
図３は、図１の監視用端末の構成を示すブロック図、
図４は、図１の監視サーバおよび監視用端末の動作を示すフローチャート、
図５は、図１の監視用端末上の画面を示す説明図、
図６は、実施の形態２に係るエレベーター監視システムを示す構成図である。
【発明を実施するための最良の形態】  以下、発明の実施の形態１，２について図面に基づいて説明する。
実施の形態１．
図１は、発明の実施の形態１に係るエレベーター監視システムを示す構成図である。
図１において、エレベーターの監視サーバ（監視装置）１は、イーサネット（通信ネットワーク）２を介して、監視用端末３に接続されている。監視サーバ１および監視用端末３は監視室に設けられている。なお、監視室というのは、監視用端末３の画面表示により監視員等がエレベーターの監視を行う場所であればその名称を問わない趣旨である。
そして、監視サーバ１は、監視用端末３からの要求に応じて、複数台のエレベーターの監視に関するサービスを提供するようになっている。ここでは、エレベーターの運行状態の確認、かご内の状況確認、および、かご内と監視室との間の回線接続に関する３つのサービスが準備されている。
監視サーバ１は、複数の制御装置４および群管理装置５に接続されている。各制御装置４は、群管理装置５の管理の下、対応する１号機および２号機それぞれのかご６の運転の制御を行っている。
１号機および２号機の各かご６内には、カメラ装置７、通話装置８、および、呼出ボタン９が設けられている。そして、カメラ装置７は、映像用変換器１０およびイーサネット２を介して、かご６内の状況を表す画像データｄ１を監視サーバ１に常時出力している。映像用変換器１０は、カメラ装置７からの映像信号をイーサネット２に準拠した信号に変換する。
通話装置８は、例えばインターホン子機（マイクスピーカを含む。）であり、通話路選択装置１１を介して、通信線１２で通話装置１３に接続されている。通話装置１３は、例えばインターホン親機であり、監視室内に設けられている。
通話路選択装置１１は、リレー回路１１ａおよびＬＡＮ（Ｌｏｃａｌ  Ａｒｅａ  Ｎｅｔｗｏｒｋ）インターフェース（マイコンを含む。）１１ｂで構成されている。
リレー回路１１ａは、ＬＡＮインターフェース１１ｂからの指示により、各通話装置８，１３の間の回線を接続するようになっている。つまり、リレー回路１１ａは、かご６内と監視室との間の回線を接続するようになっている。
呼出ボタン９は、監視員等を呼び出すためのものであり、例えば非常時にかご６内の乗客によって操作される。呼出ボタン９が操作されると、通話路選択装置１１がその旨をイーサネット２を介して監視サーバ１に通知するようになっている。
以下、監視サーバ１および監視用端末３について順を追って詳述する。
図２は、監視サーバ１の構成を示すブロック図である。図２において、監視サーバ１は、通信部１０１、記憶部１０２、および処理部１０３を有している。通信部１０１は、例えば入出力インターフェースである。例えばウェブサーバ等が図２の監視サーバに該当する。
記憶部１０２は、例えば、メモリ、ハードディスクである。記憶部１０２には、画面表示データｄ２が格納されている。画面表示データｄ２は、監視用端末３上で視覚的に区切られて表示されるウインドウを構成するデータであり、この画面表示データｄ２には、複数の監視関連画面が含まれている。
各監視関連画面は、ウインドウの構成要素で、エレベーターの監視に関連するものである。ここでは、監視関連画面として、画像データｄ１の表示画面Ｓ１、監視情報ｄ３の表示画面Ｓ２、および、接続要求画面Ｓ３の３つの画面がある。そして、これら３つの画面のうちの任意の画面が、監視用端末３あるいは通話路選択装置１１からの指示により、画面表示データｄ２に含まれることとなる。なお、監視用端末３および通話路選択装置１１を外部装置と呼ぶ。
監視情報ｄ３は、１号機および２号機それぞれのエレベーターの運行状態を示すデータであり、群管理装置５における最新の管理状況に基づいて定期的に更新されている。監視情報ｄ３には、例えば、各号機のかご６の停止階等が含まれている。
画像データｄ１は、各カメラ装置７における最新のかご６内の状況に基づいて常時更新されている。
接続要求画面Ｓ３は、監視員等に対して、かご６内の乗客が呼出ボタン９により通話装置１３の呼び出しを行っていることを知らせるためのものである。ここでは、「通話」を表すボタン表示が接続要求画面Ｓ３に設定されている。
処理部１０３は、例えばＣＰＵである。処理部１０３は、記憶部１０２のウェブ等のサーバプログラム、ＳＯＫＥＴ（ソケット）等の通信用プログラムに従って動作する。
図３は、監視用端末３の構成を示すブロック部である。図３において、監視用端末３は、通信部３０１、入力部３０２、表示部３０３、記憶部３０４、および、これら各部を制御する処理部３０５を有している。例えばパソコン等が図３の監視用端末３に該当する。
通信部３０１は、例えば入出力インターフェースである。入力部３０２は、例えば、キーボード、マウスである。表示部３０３は、例えばディスプレイ装置である。
記憶部３０４は、例えば、メモリ、ハードディスクである。記憶部３０４には、画面表示データｄ２が格納される。
処理部３０５は、例えばＣＰＵである。処理部３０５は、例えば、記憶部３０４のブラウザ、ＪＡＶＡ（Ｒ）等のプログラムに従って動作する。
図４は、監視サーバ１および監視用端末３の動作を示すフローチャートである。ここでは、監視用端末３からの要求（例えばＵＲＬの指定等）により、監視サーバ１から送信されてきた画面表示データｄ２に含まれる監視情報ｄ３の表示画面Ｓ２が監視用端末３の表示部３０３上に表示されている場合を例にして説明する。なお、監視サーバ１と監視用端末３との間では、例えば、ＴＣＰ／ＩＰ（Ｔｒａｎｓｍｉｓｓｉｏｎ  Ｃｏｎｔｒｏｌ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）等のプロトコルに従って通信処理が行われる。
例えば、１号機のかご６内の乗客が呼出ボタン９を押すと、通話路選択装置１１は、その旨を示す呼出信号をイーサネット２を介して監視サーバ１に出力する。すると、監視サーバ１の処理部１０３は、呼出信号を受信し（Ｓ１０１）、記憶部１０２を参照して、画像データｄ１の表示画面Ｓ１、および、接続要求画面Ｓ３を選択する。ここでは、１号機のかご６内の状況を表す画像データｄ１の表示画面Ｓ１、および、１号機のかご６内の通話装置８と監視室の通話装置１３との間の通話回線の接続を要求するための接続要求画面Ｓ３が選択されている（Ｓ１０２）。そして、処理部１０３は、２つの画面Ｓ１，Ｓ３を含む画面表示データｄ２を記憶部１０２から読み出し、その画像表示データｄ２をイーサネット２を介して監視用端末３に送信する（Ｓ１０３）。
監視用端末３の処理部３０５は、監視サーバ１からの画像表示データｄ２を受信して記憶部３０４に格納し、記憶部３０４から読み出した画像表示データｄ２を表示部３０３に表示する（Ｓ１０４）。
表示部３０３に表示された画像表示データｄ２を図５に示す。図５では、監視情報ｄ３の表示画面Ｓ２のほか、画像データｄ１の表示画面Ｓ１および接続要求画面Ｓ３が表示部３０３上に表示されている。これにより、監視員は、表示画面Ｓ２により１号機のかご６の運行状況を把握したり、表示画面Ｓ１により１号機のかご６内の状況を把握したりすることができる。さらに、監視員は、接続要求画面Ｓ３により乗客が通話装置１３の呼び出しを行っていることを確認することができる。
そして、監視員が、監視用端末３を操作して、表示部３０３上の接続要求画面Ｓ３に対する操作（例えばクリック操作）を行う。すると、監視用端末３が、接続要求画面Ｓ３に応じた接続要求を監視サーバ１にイーサネット２を介して行う（Ｓ１０５）。
すると、監視サーバ１の処理部１０３は、監視用端末３からの接続要求に応じた接続コマンドをイーサネット２を介して通話路選択装置１１に出力する。接続コマンドは、例えば、１号機の通話装置８と監視室の通話装置１３との間の回線接続を指示するためのコマンドであり、記憶部１０２の所定領域から読み出される（Ｓ１０６）
すると、通話路選択装置１１のＬＡＮインターフェース１１ｂは、監視サーバ１からの接続コマンドに従って、１号機の通話装置８と監視室の通話装置１３との間のリレー回線１１ａを動作させる。これにより、１号機の通話装置８と監視室の通話装置１３との間の回線が接続され、監視員は、１号機のかご６内の乗客と直接会話をすることができる。
以上説明したように、実施の形態１における監視サーバ１は、外部装置３，１１からの指示（監視用端末３からの要求、通信路選択装置１１からの呼出信号の受信）に応じ、記憶部１０２を参照して、複数の監視関連画面のうちの任意の監視関連画面を選択的に画面表示データｄ２に含めて、画面表示データｄ２を監視用端末３にイーサネット２を介して送信する。このため、監視サーバ１は、画面表示データｄ２に含まれる所定の監視関連画面を同時に監視用端末３に提供することができる。したがって、エレベーター監視の効率的な業務を支援することができる。
また、監視用端末３は、記憶部３０４から読み出した画面表示データｄ２に含まれる複数の監視関連画面を表示部３０３に表示するようになっている。このため、複数の監視関連画面を一つのウインドウとして表示部３０３に表示することができる。このため、監視員等は、エレベーターの監視に関する各種業務を監視用端末３上で同時に統合して行うことが可能となる。したがって、エレベーターの監視業務を効率的に行うことが可能となる。
また、画像データｄ１の表示画面Ｓ１、監視情報ｄ３の表示画面Ｓ２、及び、接続要求画面Ｓ３が監視関連画面として設定されている。このため、画像データｄ１の表示、監視情報ｄ３の表示、接続要求画面Ｓ３に対する操作を監視用端末３上で同時期に行うことが可能となる。したがって、エレベーターの監視業務の効率をより一層高めることが可能となる。
また、呼出ボタン９が操作されると、監視用端末３は、画像データｄ１の表示画面Ｓ１および接続要求画面Ｓ３を含む画面表示データｄ２を監視サーバ１から受信して表示部３０３に表示するようになっている。このため、呼出ボタン９が操作されると、監視員等は、呼出ボタン９が設けられているかご６内の状況を監視用端末３上で確認したり、そのかご６内と監視室との間の接続回線の指示を監視用端末３上で行ったりすることができる。したがって、監視員等は、例えばかご６内における非常時の対応を適切に行うことが可能となる。
なお、上記実施の形態１において、監視サーバ１は、通信路選択装置１１からの呼出信号を受信して２つの画面Ｓ１，Ｓ３を含む画面表示データｄ２を監視用端末３に送信する場合について説明したが、これに限られない。例えば、監視サーバ１は、３つの画面ｄ１〜ｄ３を含む画面表示データｄ２を監視用端末３に送信してもよい。
実施の形態２．
図６は、実施の形態２に係るエレベーター監視システムを示す構成図である。なお、実施の形態１と同一部分については同一符号を付して重複説明を省略する。
図６において、各通話装置８，１３は、音声用変換器１４を介してイーサネット２にそれぞれ接続されている。音声用変換器１４は、各通話装置８，１３の音声をイーサネット２に準拠するデジタル信号に変換するようになっている。
そして、監視用端末３が、表示部３０３に表示されている接続要求画面Ｓ３に対する操作に基づいて、例えば１号機の通話装置８と通話装置１３との間の通話回線の接続要求を監視サーバ１に対して行うと、監視サーバ１は、次のような処理を行うようになっている。監視サーバ１は、監視用端末３からの接続要求に対応する各音声用変換器１４に対して、デジタル信号への変換動作を開始させる指示信号をイーサネット２を介して出力する。これにより、例えば、１号機のかご６内と監視室との間では、イーサネット２を介した通話が可能となる。
したがって、実施の形態２においても、呼出ボタン９が操作されると、各通話装置８，１３における通話用の音声が各音声用変換器１４によりデジタル信号に変換され、かご６内と監視室との間ではイーサネット２を介した通話が可能になる。以上から、実施の形態２では、通信線１２および通話路選択装置１１が不要になるというメリットがある。
なお、上記実施の形態１，２において、監視サーバ１および監視用端末３をそれぞれ別体の装置で構成する場合について説明したが、例えば、監視用端末３に監視サーバ１の機能を組み込むことにより１台の装置で構成するようにしてもよい。
また、監視サーバ１は、監視用端末３からの要求に応じ、３つの画面Ｓ１〜Ｓ３を自由に組み合わせて生成した画面表示データｄ２を監視用端末３に送信してもよい。
【図１】
2005082764.tif 000002
【図２】
2005082764.tif 000003
【図３】
2005082764.tif 000004
【図４】
2005082764.tif 000005
【図５】
2005082764.tif 000006
【図６】
2005082764.tif 000007
【国際調査報告】
2005082764.tif 000008
2005082764.tif 000009
2005082764.tif 000010
2005082764.tif 000011